(57)【要約】【課題】製造装置の構造を複雑化することなく、フィットギャザー積層体を有する使い捨てパンツを高速で製造できるようにする。【解決手段】上下一対の不織布シート６，７間に、その幅方向に弾性部材１が配設されて上記不織布シート６，７の幅方向中央部を除く部分に固着されるとともに、この不織布シート６，７の幅方向中央部において上記弾性部材１が切断されてなるフィットギャザー積層体２と、このフィットギャザー積層体２の幅方向中央部の下面側に固着された補強用シート３と、上記フィットギャザー積層体１の上面側に配設された吸収体４と、上記補強用シート３の下面側に配設されたバックシート５とを備えた使い捨てパンツ及びその製造方法。【選択図】図２
2008194493.tif 000002
【特許請求の範囲】
【請求項１】
上下一対の不織布シート間に、その幅方向に弾性部材が配設されて上記不織布シートの幅方向中央部を除く部分に固着されるとともに、この不織布シートの幅方向中央部において上記弾性部材が切断されてなるフィットギャザー積層体と、上記幅方向中央部において上記フィットギャザー積層体の上面側に配設された吸収体とを備えたことを特徴とする使い捨てパンツ。
【請求項２】
フィットギャザー積層体を構成する一対の不織布シートの連続体と、これらの間に配設される弾性部材の連続体とをその長手方向に搬送しつつ、この弾性部材の連続体を上記不織布シートに間欠的に固着した後、上記弾性部材をその非固着部において不織布シートとともに切断し、上記弾性部材の非固着部に対応する位置においてフィットギャザー積層体の上面側に位置する部分に吸収体を配設するようにしたことを特徴とする使い捨てパンツの製造方法。
【発明の詳細な説明】
【技術分野】
【０００１】
本発明は、上下一対の不織布シート間に弾性部材が配設されてなるフィットギャザー積層体を有する使い捨てパンツ及びその製造方法に関するものである。
【背景技術】
【０００２】
従来、例えば、特許文献１に示すように、ウエストギャザーを有するバックシートを所定間隔で下方へ折込んで長手方向に移送し、移送中のバックシートの上面にウエストサイド弾性体を長手方向に供給してその上面に押さえ用不織布を長手方向に供給し、下方への折込み部分を除いてバックシートにウエストサイド弾性体と押さえ用不織布とを接着する行程と、バックシートと一体化したウエストサイド弾性体及び押さえ用不織布をバックシートの下方への折込み部分の上端で切断した後、下方への折込み部分を展開してバックシートをシート状に戻し、所定間隔でウエストサイド弾性体を有するバックシートを形成する行程と、上記行程後のバックシートに、ウエストサイド弾性体の存在しない部分に体液吸収体を接着する行程と、上記行程後のバックシートに、股ぐり開口部を切除した後、股ぐり開口部の中心線で切断して個々の中間製品に分離する工程と、ウエストサイド弾性体及び体液吸収本体を内側に位置させて、上記中間製品を二つ折りしてウエストサイド部を接着する行程とを含むブリーフタイプの体液吸収用具の製造方法が知られている。
【特許文献１】特開平６−１９７９２０号公報
【発明の開示】
【発明が解決しようとする課題】
【０００３】
上記公報に記載された体液吸収用具の製造方法によれば、体液吸収本体の幅方向中央部及び長手方向中央部を除いて、ウエストサイド弾性体を左右方向に装備させることにより、ウエストサイド弾性体の設置面積を縮小して材料コストの低減を図るとともに、ウエストサイド弾性体をバックシートの移送方向に供給して製造ラインの高速化を図りつつ、上記ウエストサイド弾性体を伸張させることにより容易に着用可能であるとともに、着用者に圧迫感を与えることなく、身体への密着性を高めることができる体液吸収具が得られるという利点がある。
【０００４】
しかし、上記のようにウエストギャザーを有するバックシートを所定間隔で下方へ折込んで長手方向に移送しつつ、バックシートの上面へのウエストサイド弾性体及び押さえ用不織布を供給する作業と、下方への折込み部分を除いてバックシートにウエストサイド弾性体と押さえ用不織布とを接着する作業と、バックシートと一体化したウエストサイド弾性体及び押さえ用不織布をバックシートの下方への折込み部分の上端で切断する作業とを行うように構成した場合には、これらの作業が困難であるために、作業スピードを遅くする必要があるとともに、上記バックシートを下方へ折込むための折込み機構を設ける必要があるために、製造装置の構造が複雑になるという問題がある。
【０００５】
本発明は、上記の点に鑑みてなされたものであり、製造装置の構造を複雑化することなく、上下一対の不織布シート間に弾性部材が配設されたフィットギャザー積層体を有する使い捨てパンツを高速で製造できるようにすることを目的としている。
【課題を解決するための手段】
【０００６】
請求項１に係る発明は、上下一対の不織布シート間に、その幅方向に弾性部材が配設されて上記不織布シートの幅方向中央部を除く部分に固着されるとともに、この不織布シートの幅方向中央部において上記弾性部材が切断されてなるフィットギャザー積層体と、上記幅方向中央部において上記フィットギャザー積層体の上面側に配設された吸収体とを備えたものである。
【０００７】
上記構成によれば、フィットギャザー積層体を構成する不織布シートの幅方向中央部を除く部分に弾性部材が配設されてこの弾性部材が伸縮することにより、安定した着用状態が得られるとともに、吸収体が配設されるフィットギャザー積層体の幅方向中央部に、上記弾性部材の伸縮力が作用することが防止されて上記吸収体の設置部がフラットな形状に形成される。
【０００８】
請求項２に係る発明は、フィットギャザー積層体を構成する一対の不織布シートの連続体と、これらの間に配設される弾性部材の連続体とをその長手方向に搬送しつつ、この弾性部材の連続体を上記不織布シートに間欠的に固着した後、上記弾性部材をその非固着部において不織布シートとともに切断し、上記弾性部材の非固着部に対応する位置においてフィットギャザー積層体の上面側に位置する部分に吸収体を配設するようにしたものである。
【０００９】
上記構成によれば、幅方向中央部を除く部分に弾性部材が配設されてこの部分が伸縮可能に構成されるとともに、吸収体が配設される幅方向中央部に、上記弾性部材の伸縮力が作用しないように構成されたフィットギャザー積層体を有する使い捨てパンツが、簡単な構造の製造装置により高速で製造されることになる。
【発明の効果】
【００１０】
以上の説明したように、本発明は、簡単な構造の製造装置により、フィットギャザー積層体を構成する不織布シートの幅方向中央部を除く部分に配設された弾性部材が伸縮することにより、安定した着用状態が得られるとともに、吸収体が配設されるフィットギャザー積層体の幅方向中央部に、上記弾性部材の伸縮力が作用するのを防止して上記吸収体の設置部が変形するのを防ぐことができる使い捨てパンツを高速で連続的に製造できるという利点がある。
【発明を実施するための最良の形態】
【００１１】
図１及び図２は、本発明の実施形態に係る使い捨てパンツを展開してなる使い捨てパンツ用素材を示している。この使い捨てパンツ用素材は、幅方向中央部を除く部分に複数本の弾性部材１が幅方向に伸びるように配設されたフィットギャザー積層体２と、このフィットギャザー積層体２の幅方向中央部の下面側、つまり使い捨てパンツの外面側に固着された前後一対の補強用シート３と、上記フィットギャザー積層体２の上面側、つまり人体当接面側に位置する使い捨てパンツの内面側に配設された吸収体４と、補強用シート３の下面側に配設されたバックシート５とを備えている。
【００１２】
上記弾性部材１は、線状又は帯状のゴム材、又は東レ・デュポン社製の商品名「オペロン」等からなり、上下一対の不織布シート６，７間に伸張状態で配設されてこの不織布シート６，７の幅方向中央部を除く部分に固着されるとともに、この不織布シート６，７の幅方向中央部において切断されることにより、この幅方向中央分に弾性部材１の伸縮力が作用しないように構成されている。
【００１３】
上記不織布シート６，７は、ポリプロピレン、ポリエチレン、ポリエステル又はレーヨン等の柔軟な素材によって砂時計形に形成され、その幅方向の中央部を除く部分に上記弾性部材１が配設された状態で、ホットメルト等の接着剤により上層の不織布シート６と、下層の不織布シート７とが、上記弾性部材１の配設部において一体に接着されることにより、上記フィットギャザー積層体２を構成している。
【００１４】
上記補強用シート３は、適度の剛性を有するプラスチックフィルム材等からなり、上記フィットギャザー積層体２の幅方向中央部の下面側に固着されている。また、上記補強用シート３の下面側、つまり使い捨てパンツの外面側には、キャラクタ図柄又は文字等が必要に応じて表示されている（図３参照）。
【００１５】
上記吸収体４は、図２に示すように、不織布又は穴あきプラスチックフィルム材等からなる上層の透液性シート８と、プラスチックフィルム材等からなる下層の不透液性シート９と、これらの両シート８，９間に配設された粉砕パルプ、高吸水性樹脂又は保形用熱可塑性樹脂等からなる吸収マット１０とにより構成されている。なお、上記透液性シート８の左右両側辺部上面には、使い捨てパンツの長手方向に沿って線状のゴム材等からなる弾性部材が添設された左右一対の立ち上がりギャザー１１を設けることが望ましい。
【００１６】
上記バックシート５は、ポリプロピレン、ポリエチレン、ポリエステル又はレーヨン等の柔軟な素材からなり、上記補強用シート３の下面側においてフィットギャザー積層体２の下面全面を覆うように配設され、このフィットギャザー積層体２の下面にホットメルト等の接着剤により接着されるように構成されている。
【００１７】
そして、上記フィットギャザー積層体２及びバックシート５を有する使い捨てパンツ用素材がその長手方向の中間部において二つ折りされ、上記フィットギャザー積層体２の左右両側辺部が、超音波シール機やヒートシール機を用いた溶着または接着剤を用いた接着等の手段で一体に接合されることにより、図３に示すように、パンツ型に形成されるように構成されている。
【００１８】
図４は、上記使い捨てパンツの製造装置を示している。この製造装置は、上記フィットギャザー積層体２の連続体を成形するフィットギャザー成形部１２と、上記フィットギャザー積層体２の連続体に補強用シート３を接着する補強用シート接着部１３と、上記フィットギャザー積層体２の連続体にバックシート５を接着するバックシート接着部１４と、上記フィットギャザー積層体２の連続体上に吸収体４を供給する吸収体供給部１５とを有している。
【００１９】
上記フィットギャザー成形部１２は、一対の不織布シート６，７をそれぞれ繰り出す一対の不織布ロール１６，１７と、上記弾性部材１を繰り出す弾性部材ロール１８と、上記不織布シート６にホットメルトを間欠的に塗布する第１ホットメルト塗布機１９と、上記両不織布シート６，７を圧接する圧接ローラ２０と、上記ホットメルトの非塗布部において上記不織布シート６，７とともに弾性部材１を切断する切断ローラ２１とを有している。
【００２０】
上記切断ローラ２１は、不織布シート６，７間に配設された複数本の弾性部材１を確実に切断するとともに、不要な部分を極力切断しないように所定間隔で配設された複数個の切断刃を有し、上記弾性部材１が設置された不織布シート６，７を間欠的に切断するように構成されている。
【００２１】
また、上記補強用シート接着部１３は、補強用シート３の連続体を繰り出す補強用シートロール２２と、この補強用シートロール２２から繰り出された補強用シート３の連続体にホットメルトを塗布する第２ホットメルト塗布機２３と、上記補強用シート３の連続体を所定長さに切断する切断ローラ２４と、上記連続体が切断されることによって形成された補強用シート３をフィットギャザー積層体２の下面側に圧接して接着する圧接ローラ２５とを有している。
【００２２】
上記バックシート接着部１４は、バックシート５の連続体を繰り出すバックシートロール２６と、このバックシートロール２６から繰り出されたバックシート５の連続体にホットメルトを塗布する第３ホットメルト塗布機２７と、上記バックシート５の連続体をフィットギャザー積層体２の下面側に圧接して接着する圧接ローラ２８とを有している。
【００２３】
上記吸収体供給部１５は、別工程で製造された吸収体４を上記フィットギャザー積層体２上の所定位置に位置決めした状態で載置し、超音波シール機やヒートシール機を用いた溶着または接着剤を用いた接着等の手段で、上記吸収体４をフィットギャザー積層体２の上面側に固着するように構成されている。
【００２４】
上記製造装置を使用して使い捨てパンツを製造するには、上記不織布ロール１６，１７から繰り出された一対の不織布シート６，７の連続体の間に、上記弾性部材ロール１８から繰り出された弾性部材１を配設した状態で、これらの連続体をその長手方向に搬送する。そして、上記第１ホットメルト塗布機１９により不織布シート６にホットメルトを所定間隔で間欠的に塗布した後、上記両不織布シート６，７を圧接ローラ２０により挟持して圧接することにより、図５に示すように、上記ホットメルトＨ１の塗布部において上記両不織布シート６，７と、弾性部材１とを一体に接着する。
【００２５】
次いで、上記切断ローラ２１により、上記弾性部材１の連続体を図６及び図７に示すように、その非接着部において不織布シート６，７の連続体とともに、破断線Ｃ１により切断することにより、上記不織布シート６，７の間に所定長さの弾性部材１が伸張状態で配設されるとともに、両不織布シート６，７に固着された上記フィットギャザー積層体２の連続体を形成する。
【００２６】
そして、上記補強用シートロール２２から繰り出された補強用シート３の連続体の上面側に、上記第２ホットメルト塗布機２３によりホットメルトを塗布するとともに、上記補強用シート３の連続体を切断用ローラ２４により所定長さに切断することによって形成された補強用シート３と、フィットギャザー積層体２の連続体とを圧接ローラ２５により挟持して圧接することにより、図８に示すように、上記弾性部材１の非設置部に対応する位置において、上記フィットギャザー積層体２の連続体の下面側に、補強用シート３をホットメルトＨ２により接着する。
【００２７】
次いで、上記バックシートロール２６から繰り出されたバックシート５の連続体の上面側に、上記第３ホットメルト塗布機２７によってホットメルトを塗布した後、上記圧接ローラ２８によりバックシート５の連続体とフィットギャザー積層体２の連続体とを挟持して上記補強用シート３の下面側にバックシート５の連続体を接着する。
【００２８】
次いで、上記フィットギャザー積層体２の上面側に、吸収体供給部１５から供給された吸収体４を載置した後、上記弾性部材１の非接着部に対応する位置において、上記フィットギャザー積層体２の連続体の上面側に吸収体４を位置決めした状態で接着する等により、図９に示すような使い捨てパンツ用素材の連続体が形成されることになる。
【００２９】
このようして形成された使い捨てパンツ用素材の連続体を、切断線Ｃ２において所定寸法に切断することにより、図１に示す使い捨てパンツ用素材が得られ、この使い捨てパンツ用素材をその長手方向の中間部において二つ折りし、上記フィットギャザー積層体２の左右両側辺部を溶着または接着等の手段で一体に接合することにより、図３に示す使い捨てパンツを製造することができる。
【００３０】
上記のように本発明に係る使い捨てパンツは、上下一対の不織布シート６，７間に、その幅方向に弾性部材１が配設されて上記不織布シート６，７の幅方向中央部を除く部分に固着されるとともに、この不織布シート６，７の幅方向中央部において上記弾性部材１が切断されてなるフィットギャザー積層体２と、このフィットギャザー積層体２の幅方向中央部の下面側に固着された補強用シート３と、上記フィットギャザー積層体２の上面側に配設された吸収体４と、上記補強用シート３の下面側に配設されたバックシート５とを備えたものであるため、上記フィットギャザー積層体２を構成する不織布シート６，７の幅方向中央部を除く部分に配設された弾性部材１が伸縮することにより、安定した着用状態が得られ、液漏れの発生等を効果的に防止することができる。
【００３１】
また、上記吸収体４が配設されるフィットギャザー積層体２の幅方向中央部には、上記弾性部材１が配設されていないため、この弾性部材１の伸縮力の影響を受けて上記吸収体４の設置部が変形するのを防止することができる。したがって、この吸収体４が配設された使い捨てパンツの幅方向中央部に皺が形成されるのを防止して、優れた外観と安定したはき心地とが得られるという利点がある。
【００３２】
そして、上記フィットギャザー積層体２の幅方向中央部の下面側に補強用シート３を固着したため、上記弾性部材１を不織布シート６，７とともに切断するように構成した場合においても、上記弾性部材１の切断部を上記補強用シート３によって補強することができる。このため、予め所定長さに切断された弾性部材１を上記不織布シート６，７の間に配設して固着したり、従来例に示すように、ウエストギャザーを有するバックシートを所定間隔で下方へ折込んで長手方向に移送しつつ、バックシートと一体化したウエストサイド弾性体及び押さえ用不織布をバックシートの下方への折込み部分の上端で切断する等の複雑な作業を要することなく、不織布シート６，７の幅方向中央部を除く部分に上記弾性部材１が固着されてなる使い捨てパンツを高速で連続的に製造することができる。
【００３３】
すなわち、上記のようにフィットギャザー積層体２を構成する一対の不織布シート６，７の連続体と、これらの間に配設される弾性部材１の連続体とをその長手方向に搬送しつつ、この弾性部材１の連続体を間欠的に上記不織布シート６，７に固着した後、上記弾性部材１をその非固着部において不織布シート６，７とともに切断し、上記弾性部材１の非固着部に対応する位置においてフィットギャザー積層体２の下面側に位置する部分に補強用シート３を固着するとともに、同上面側に位置する部分に吸収体４を配設し、かつ上記補強用シート３の下面側にバックシート５を配設することにより、上記使い捨てパンツを簡単な構造の製造装置を用いて高速で連続的に製造することができる。
【００３４】
しかも、上記のように補強用シート３の下面側にバックシート５を配設し、このバックシート５によって使い捨てパンツの外面の略全体を覆うように構成した場合には、使い捨てパンツの外面側に複数の素材が混在することに起因する違和感の発生を防止し、見栄えを効果的に向上させることができる。
【００３５】
また、上記実施形態に示すように、補強用シート３の下面側にキャラクタ図画をまたは文字等を表示するように構成した場合には、不織布シート等からなる半透明のバックシート５を介して上記キャラクタ図柄等を透視することができるため、使い捨てパンツの装飾性を効果的に向上させることができる。
【００３６】
なお、上記使い捨てパンツの身体に対する密着性を、さらに向上させるためには、図１の仮想線で示すように、フィットギャザー積層体２の幅方向両側辺部に位置する股ぐり部Ｂ１と、長手方向両端部に位置するウエスト部Ｂ２とに、それぞれ線状のゴム材等からなる弾性部材を配設した構造とすることが望ましい。
【００３７】
また、上記使い捨てパンツ用素材を、その長手方向の中間部において二つ折りし、上記フィットギャザー積層体２の左右両側辺部を一体に接合してなる上記実施形態に代え、粘着テープまたは機械式面ファスナー等からなる係止部材によって上記使い捨てパンツ用素材の左右両側辺部を着脱可能に接合するように構成してもよい。
【図面の簡単な説明】
【００３８】
【図１】本発明の実施形態に係る使い捨てパンツの展開状態を示す説明図である。
【図２】図１のＡ−Ａ線断面図である。
【図３】本発明に係る使い捨てパンツの実施形態を示す説明図である。
【図４】使い捨てパンツの製造装置の具体例を示す説明図である。
【図５】弾性部材を間欠的に不織シートに固着した状態を示す説明図である。
【図６】弾性部材を破断した状態を示す説明図である。
【図７】弾性部材を破断した状態を平面からみた説明図である。
【図８】フィットギャザー積層体に補強用テープを固着した状態を示す説明図である。
【図９】使い捨てパンツの連続体の構成を示す説明図である。
【符号の説明】
【００３９】
１    弾性部材
２    フィットギャザー積層体
３    補強用テープ
４    吸収体
５    バックシート
６，７    不織布シート
【図１】
2008194493.tif 000003
【図２】
2008194493.tif 000004
【図３】
2008194493.tif 000005
【図４】
2008194493.tif 000006
【図５】
2008194493.tif 000007
【図６】
2008194493.tif 000008
【図７】
2008194493.tif 000009
【図８】
2008194493.tif 000010
【図９】
2008194493.tif 000011